(57)【特許請求の範囲】
【請求項１】
端末機器および通信経路の間で信号を処理して受け渡す信号処理部と、
入力される電力から前記信号処理部の電源となる電力を生成する電源部と、
前記電源部に接続されない低圧電源端子と、
前記電源部に接続される高圧電源端子と、
外部電源に接続される前記低圧電源端子から前記信号処理部に電力が入力されるときに、前記信号処理部が前記通信経路に受け渡す信号に電力を重畳せず、外部電源に接続される前記高圧電源端子から前記電源部を通じて前記信号処理部に電力が入力されるときに、前記信号処理部が前記通信経路に受け渡す信号に前記高圧電源端子から入力される電力を重畳する第１重畳部と、
を備えるモデム。
【請求項２】
前記電源部は、前記低圧電源端子および前記高圧電源端子のいずれもが外部電源に接続されていない場合に前記通信経路から受け渡される信号に電力が重畳されているときに、当該重畳されている電力から前記信号処理部の電源となる電力を生成する請求項１に記載のモデム。
【請求項３】
外部電源に接続される前記低圧電源端子から前記信号処理部に電力が入力されるときに、前記信号処理部が前記端末機器に受け渡す信号に電力を重畳せず、外部電源に接続される前記高圧電源端子から前記電源部を通じて前記信号処理部に電力が入力されるときに、前記信号処理部が前記端末機器に受け渡す信号に前記高圧電源端子から入力される電力を重畳する第２重畳部と、
を備える請求項１または請求項２に記載のモデム。
【請求項４】
前記第２重畳部は、前記低圧電源端子および前記高圧電源端子のいずれもが外部電源に接続されていない場合に前記通信経路から受け渡される信号に電力が重畳されているときに、当該重畳されている電力を利用して前記信号処理部が前記端末機器に受け渡す信号に電力を重畳する請求項３に記載のモデム。
【請求項５】
前記通信経路に信号を受け渡す複数の通信端子
を備える請求項１から請求項４のいずれか一項に記載のモデム。
【請求項６】
前記通信端子は、信号の特性を確認する計測器が接続可能である請求項５に記載のモデム。
【請求項７】
前記通信端子は、端末機器または端末機器との間で信号を処理して受け渡すモデムの少なくともいずれかが接続可能である請求項５または請求項６に記載のモデム。
【発明の詳細な説明】
【技術分野】
【０００１】
本発明は、モデムに関する。
【背景技術】
【０００２】
特許文献１に通信システムの例が記載されている。通信システムは、複数のモデムと、給電装置と、端末装置と、を備える。給電装置は、通信経路を通じて外部電源が利用できないモデムに給電する。
【先行技術文献】
【特許文献】
【０００３】
【特許文献１】日本特開２０１０−２５８７６９号公報
【発明の概要】
【発明が解決しようとする課題】
【０００４】
しかしながら、特許文献１に記載の通信システムは、複数のモデムの各々について電源が利用できる場合に、当該モデムの電源となる電力を生成することによる損失が発生する。【０００５】
本発明は、このような課題を解決するためになされた。本発明の目的は、消費電力を抑えられるモデムを提供することである。
【課題を解決するための手段】
【０００６】
本発明に係るモデムは、端末機器および通信経路の間で信号を処理して受け渡す信号処理部と、入力される電力から信号処理部の電源となる電力を生成する電源部と、電源部に接続されない低圧電源端子と、電源部に接続される高圧電源端子と、外部電源に接続される低圧電源端子から信号処理部に電力が入力されるときに、信号処理部が通信経路に受け渡す信号に電力を重畳せず、外部電源に接続される高圧電源端子から電源部を通じて信号処理部に電力が入力されるときに、信号処理部が通信経路に受け渡す信号に高圧電源端子から入力される電力を重畳する第１重畳部と、を備える。
【発明の効果】
【０００７】
本発明によれば、モデムは、低圧電源端子と、高圧電源端子と、を備える。低圧電源端子は、電源部に接続されない。低圧電源端子から電力が供給されるときに、電源部が電力を生成することによる電力の変換損失は発生しない。高圧電源端子から電力が供給されるときに、第１重畳部は、通信経路に受け渡す信号に高圧電源端子から入力される電力を重畳する。このため、通信経路における電力損失が抑えられる。このように、モデムは、設置環境における電源事情に応じて動作を切り替えることで、消費電力を抑えられる。
【図面の簡単な説明】
【０００８】
【図１】実施の形態１に係るモデムを備える通信システムの構成を示す回路図である。
【図２】実施の形態２に係るモデムを備える通信システムの構成を示す回路図である。
【図３】実施の形態２に係るモデムを備える通信システムの構成を示す回路図である。
【発明を実施するための形態】
【０００９】
本発明を実施するための形態について添付の図面を参照しながら説明する。各図において、同一または相当する部分には同一の符号を付して、重複する説明は適宜に簡略化または省略する。
【００１０】
実施の形態１．
図１は、実施の形態１に係るモデムを備える通信システムの構成を示す回路図である。
【００１１】
通信システム１は、例えば、エレベーターの監視システムに適用される。エレベーターの監視システムは、カメラ２と、監視端末３と、を備える。
【００１２】
カメラ２は、監視場所を撮影しうるように構成される。カメラ２は、例えばネットワークカメラである。カメラ２は、端末機器の例である。監視場所は、例えばエレベーターのかごの内部である。
【００１３】
監視端末３は、カメラ２が撮影する画像を表示しうるように構成される。監視端末３は、例えばパーソナルコンピュータである。監視端末３は、端末機器の例である。
【００１４】
通信システム１は、ケーブル４と、親機モデム５と、子機モデム６と、を備える。
【００１５】
ケーブル４は、親機モデム５と子機モデム６との間の信号が通信される通信経路を形成する。ケーブル４は、親機モデム５と子機モデム６とを接続する。ケーブル４は、例えば同軸ケーブルである。
【００１６】
親機モデム５は、接続端子５０１と、低圧電源端子５０２と、高圧電源端子５０３と、通信端子５０４と、信号処理部５０５と、電源部５０６と、切替部５０７と、第１重畳部５０８と、を備える。
【００１７】
接続端子５０１は、監視端末３との間でケーブル７を通じて信号を受け渡す端子である。ケーブル７は、例えばツイストペアケーブルである。低圧電源端子５０２は、外部電源８から電源コード９を通じて電力を受ける端子である。外部電源８は、独立した低電圧の直流の電源である。高圧電源端子５０３は、外部電源１０から電源コード１１を通じて電力を受ける端子である。外部電源１０は、独立した高電圧の直流の電源である。高電圧は、例えば４８Ｖである。高電圧は、低電圧より高い。低電圧は、例えば１２Ｖである。通信端子５０４は、通信経路に信号を受け渡す端子である。通信端子５０４は、ケーブル４に接続される。
【００１８】
信号処理部５０５は、信号を処理することで変調および復調しうるように構成される。変調および復調は、デジタル信号からアナログ信号への例えばデジタル変調およびアナログ信号からデジタル信号への復調を含む。デジタル信号は、例えばイーサネット（登録商標）の信号である。信号処理部５０５は、例えば低電圧の電源によって動作する。
【００１９】
電源部５０６は、高圧電源端子５０３に接続される。電源部５０６は、高圧電源端子５０３より入力される電力から、信号処理部５０５の電源となる電力を生成しうるように構成される。
【００２０】
切替部５０７は、低圧電源端子５０２または電源部５０６のいずれかから電源の入力を受ける。切替部５０７は、高圧電源端子５０３が外部電源１０に接続されるか、または、低圧電源端子５０２が外部電源８に接続されるか、によって、入力を受け付ける電源を切り替えうるように構成される。切替部５０７は、入力された電力を出力しうるように、信号処理部５０５に接続される。
【００２１】
第１重畳部５０８は、フィルタと、混合器と、を備える。フィルタは、予め定められた周波数より高い周波数の信号を双方向に通過させうるように構成される。混合器は、信号処理部５０５が通信経路に受け渡す信号に電力を重畳しうるように構成される。第１重畳部５０８は、混合器が重畳する電力を受け付けうるように高圧電源端子５０３に接続される。
【００２２】
子機モデム６は、接続端子６０１と、低圧電源端子６０２と、高圧電源端子６０３と、通信端子６０４と、信号処理部６０５と、電源部６０６と、切替部６０７と、第１重畳部６０８と、第２重畳部６０９と、を備える。
【００２３】
接続端子６０１は、カメラ２との間でケーブル１２を通じて信号を受け渡す端子である。ケーブル１２は、例えばツイストペアケーブルである。低圧電源端子６０２は、外部電源１３から電源コード１４を通じて電力を受ける端子である。外部電源１３は、独立した低電圧の直流の電源である。低電圧は、例えば１２Ｖである。高圧電源端子６０３は、外部電源１５から電源コード１６を通じて電力を受ける端子である。外部電源１５は、独立した高電圧の直流の電源である。高電圧は、例えば４８Ｖである。通信端子６０４は、通信経路に信号を受け渡す端子である。通信端子６０４は、ケーブル４に接続される。
【００２４】
信号処理部６０５は、信号を処理することで変調および復調しうるように構成される。変調および復調は、デジタル信号からアナログ信号への例えばデジタル変調およびアナログ信号からデジタル信号への復調を含む。デジタル信号は、例えばイーサネットの信号である。信号処理部６０５は、例えば低電圧の電源によって動作する。
【００２５】
電源部６０６は、高圧電源端子６０３に接続される。電源部６０６は、高圧電源端子６０３より入力される電力から、信号処理部６０５の電源となる電力を生成しうるように構成される。
【００２６】
切替部６０７は、低圧電源端子６０２または電源部６０６のいずれかから電源の入力を受ける。切替部６０７は、高圧電源端子６０３が外部電源１５に接続されるか、または、低圧電源端子６０２が外部電源１３に接続されるか、によって、入力を受け付ける電源を切り替えうるように構成される。切替部６０７は、入力された電力を出力しうるように、信号処理部６０５に接続される。
【００２７】
第１重畳部６０８は、フィルタと、混合器と、を備える。フィルタは、予め定められた周波数より高い周波数の信号を双方向に通過させうるように構成される。混合器は、信号処理部６０５が通信経路に受け渡す信号に電力を重畳しうるように構成される。第１重畳部６０８は、混合器が重畳する電力を受け付けうるように高圧電源端子６０３に接続される。
【００２８】
第２重畳部６０９は、フィルタと、ＰｏＥ（Ｐｏｗｅｒ  ｏｖｅｒ  Ｅｔｈｅｒｎｅｔ：Ｅｔｈｅｒｎｅｔは登録商標）処理器と、を備える。フィルタは、予め定められた周波数より高い周波数の信号を双方向に通過させうるように構成される。ＰｏＥ処理器は、信号処理部６０５が端末機器であるカメラ２と通信するイーサネットの信号に電力を重畳しうるように構成される。第２重畳部６０９は、ＰｏＥ処理器が重畳する電力を受け付けうるように高圧電源端子６０３に接続される。
【００２９】
続いて、通信システム１の動作を説明する。
【００３０】
親機モデム５および子機モデム６の各々について低電圧の外部電源が利用でき、かつ、カメラ２について外部電源が利用できる場合の通信システム１の動作を説明する。この場合において、親機モデム５の低圧電源端子５０２は、外部電源８に電源コード９を通じて接続される。子機モデム６の低圧電源端子６０２は、外部電源１３に電源コード１４を通じて接続される。カメラ２は、外部電源として例えば図示されない商用交流電源のコンセントにＡＣ／ＤＣ変換アダプタ（ＡＣ／ＤＣ：Ａｌｔｅｒｎａｔｉｖｅ  Ｃｕｒｒｅｎｔ／Ｄｉｒｅｃｔ  Ｃｕｒｒｅｎｔ）などを通じて接続される。
【００３１】
カメラ２は、外部電源から供給される電力によって動作する。カメラ２は、監視場所を撮影した画像を、イーサネットの信号によってケーブル１２を通じて子機モデム６の接続端子６０１に受け渡す。
【００３２】
子機モデム６は、外部電源１３から供給される低電圧の電力によって動作する。このとき、電源部６０６は電力を生成しない。切替部６０７は、外部電源１３から受け付けた電力を信号処理部６０５に出力する。信号処理部６０５は、接続端子６０１から受け渡された信号を変調する。信号処理部６０５は、変調された信号を通信端子６０４から通信経路に受け渡す。このとき、第１重畳部６０８は、デジタル変調された信号に電力を重畳しない。
【００３３】
通信経路を形成するケーブル４は、子機モデム６の通信端子６０４から受け渡された信号を親機モデム５の通信端子５０４に受け渡す。
【００３４】
親機モデム５は、外部電源８から供給される低電圧の電力によって動作する。このとき、電源部５０６は電力を生成しない。切替部５０７は、外部電源８から受け付けた電力を信号処理部５０５に出力する。信号処理部５０５は、通信端子５０４から受け渡された信号を復調する。信号処理部５０５は、復調された信号を接続端子５０１から監視端末３に受け渡す。
【００３５】
監視端末３は、図示されない外部電源から供給される電力によって動作する。監視端末３は、受け渡される信号に基づいて、カメラ２が撮影する画像を表示する。
【００３６】
監視員は、カメラ２の操作を監視端末３に入力する。監視端末３は、入力された操作をイーサネットの信号によってケーブル７を通じて親機モデム５の接続端子５０１に受け渡す。
【００３７】
親機モデム５の信号処理部５０５は、接続端子５０１から受け渡された信号を変調する。信号処理部５０５は、変調された信号を通信端子５０４から通信経路に受け渡す。このとき、第１重畳部５０８は、変調された信号に電力を重畳しない。
【００３８】
ケーブル４は、親機モデム５の通信端子５０４から受け渡された信号を子機モデム６の通信端子６０４に受け渡す。
【００３９】
子機モデム６の信号処理部６０５は、通信端子６０４から受け渡された信号を復調する。信号処理部６０５は、復調された信号を接続端子６０１からカメラ２に受け渡す。このとき、第２重畳部６０９は、復調された信号に電力を重畳しない。
【００４０】
カメラ２は、接続端子６０１から受け渡される信号が表す操作に基づいて動作する。
【００４１】
次に、親機モデム５について高電圧の外部電源が利用でき、子機モデム６およびカメラ２の各々について外部電源が利用できない場合の通信システム１の動作を説明する。この場合において、親機モデム５の高圧電源端子５０３は、外部電源１０に電源コード１１を通じて接続される。
【００４２】
親機モデム５は、外部電源１０から供給される高電圧の電力によって動作する。電源部５０６は、高圧電源端子５０３より入力される電力から、低電圧の電力を生成する。切替部５０７は、外部電源１０から電源部５０６を通じて受け付けた電力を信号処理部５０５に出力する。信号処理部５０５は、接続端子５０１から受け渡された信号を変調する。信号処理部５０５は、変調された信号を通信端子５０４から通信経路に受け渡す。第１重畳部５０８の混合器は、高圧電源端子５０３から供給される直流高電圧の電力を変調された信号に重畳する。
【００４３】
ケーブル４は、親機モデム５の通信端子５０４から受け渡される信号を重畳される電力とともに子機モデム６の通信端子６０４に受け渡す。
【００４４】
子機モデム６は、通信端子６０４から受け渡される信号に重畳される高電圧の電力によって動作する。第１重畳部６０８のフィルタは、受け渡される信号から直流高電圧の電力を分離する。電源部６０６は、第１重畳部６０８のフィルタによって分離される直流高電圧の電力から、低電圧の電力を生成する。切替部６０７は、第１重畳部６０８のフィルタから電源部６０６を通じて受け付けた電力を信号処理部６０５に出力する。信号処理部６０５は、通信端子６０４から受け渡された信号を復調する。信号処理部６０５は、復調された信号を接続端子６０１からカメラ２に受け渡す。第２重畳部６０９のＰｏＥ処理器は、第１重畳部６０８のフィルタによって分離される直流高電圧の電力を復調された信号に重畳する。
【００４５】
カメラ２は、接続端子６０１から受け渡される信号に重畳される電力によって動作する。カメラ２は、接続端子６０１から受け渡される信号が表す操作に基づいて動作する。
【００４６】
次に、子機モデム６について高電圧の外部電源が利用でき、かつ、親機モデム５およびカメラ２の各々について外部電源が利用できない場合の通信システム１の動作を説明する。この場合において、子機モデム６の高圧電源端子６０３は、外部電源１５に電源コード１６を通じて接続される。
【００４７】
子機モデム６は、外部電源１５から供給される高電圧の電力によって動作する。電源部６０６は、高圧電源端子６０３より入力される電力から、低電圧の電力を生成する。切替部６０７は、外部電源１５から電源部６０６を通じて受け付けた電力を信号処理部６０５に出力する。信号処理部６０５は、通信端子６０４から受け渡された信号を復調する。信号処理部６０５は、復調された信号を接続端子６０１からカメラ２に受け渡す。第２重畳部６０９のＰｏＥ処理器は、高圧電源端子６０３から供給される直流高電圧の電力を復調された信号に重畳する。
【００４８】
カメラ２は、接続端子６０１から受け渡される信号に重畳される電力によって動作する。カメラ２は、接続端子６０１から受け渡される信号が表す操作に基づいて動作する。カメラ２は、監視場所を撮影した画像を、イーサネットの信号によってケーブル１２を通じて子機モデム６の接続端子６０１に入力する。
【００４９】
子機モデム６の信号処理部６０５は、接続端子６０１から受け渡された信号を変調する。信号処理部６０５は、変調された信号を通信端子６０４から通信経路に受け渡す。第１重畳部６０８の混合器は、高圧電源端子６０３から供給される直流高電圧の電力を変調された信号に重畳する。
【００５０】
ケーブル４は、子機モデム６の通信端子６０４から受け渡された信号を重畳される電力とともに親機モデム５の通信端子５０４に受け渡す。
【００５１】
親機モデム５は、通信端子５０４から受け渡される信号に重畳される高電圧の電力によって動作する。第１重畳部５０８のフィルタは、受け渡される信号から直流高電圧の電力を分離する。電源部５０６は、第１重畳部５０８のフィルタによって分離される直流高電圧の電力から、低電圧の電力を生成する。切替部５０７は、第１重畳部５０８のフィルタから電源部５０６を通じて受け付けた電力を信号処理部５０５に出力する。信号処理部５０５は、通信端子５０４から受け渡された信号を復調する。信号処理部５０５は、復調された信号を接続端子５０１から監視端末３に受け渡す。
【００５２】
監視端末３は、図示されない外部電源から供給される電力によって動作する。監視端末３は、接続端子５０１から受け渡される信号に基づいて、カメラ２が撮影する画像を表示する。
【００５３】
以上に説明したように、実施の形態１に係る親機モデム５は、信号処理部５０５と、電源部５０６と、低圧電源端子５０２と、高圧電源端子５０３と、第１重畳部５０８と、を備える。信号処理部５０５は、端末機器である監視端末３および通信経路の間で信号を処理して受け渡す。電源部５０６は、入力される電力から信号処理部５０５の電源となる電力を生成する。低圧電源端子５０２は、電源部５０６に接続されない。高圧電源端子５０３は、電源部５０６に接続される。外部電源８に接続される低圧電源端子５０２から信号処理部５０５に電力が入力されるときに、第１重畳部５０８は、信号処理部５０５が通信経路に受け渡す信号に電力を重畳しない。外部電源１０に接続される高圧電源端子５０３から電源部５０６を通じて信号処理部５０５に電力が入力されるときに、第１重畳部５０８は、信号処理部５０５が通信経路に受け渡す信号に電力を重畳する。ここで、第１重畳部５０８は、高圧電源端子５０３から入力される電力を重畳する。
【００５４】
子機モデム６は、信号処理部６０５と、電源部６０６と、低圧電源端子６０２と、高圧電源端子６０３と、第１重畳部６０８と、を備える。信号処理部６０５は、端末機器であるカメラ２および通信経路の間で信号を処理して受け渡す。電源部６０６は、入力される電力から信号処理部６０５の電源となる電力を生成する。低圧電源端子６０２は、電源部６０６に接続されない。高圧電源端子６０３は、電源部６０６に接続される。外部電源１３に接続される低圧電源端子６０２から信号処理部６０５に電力が入力されるときに、第１重畳部６０８は、信号処理部６０５が通信経路に受け渡す信号に電力を重畳しない。外部電源１５に接続される高圧電源端子６０３から電源部６０６を通じて信号処理部６０５に電力が入力されるときに、第１重畳部６０８は、信号処理部６０５が通信経路に受け渡す信号に電力を重畳する。ここで、第１重畳部６０８は、高圧電源端子６０３から入力される電力を重畳する。
【００５５】
親機モデム５および子機モデム６の各々について低電圧の外部電源が利用できる場合に、親機モデム５および子機モデム６の双方は低電圧の外部電源によって動作する。このとき、電源部５０６および電源部６０６は、電力の生成を行わない。このため、信号処理部５０５および信号処理部６０５の電源となる電力の生成による電力の変換損失は発生しない。これにより、親機モデム５および子機モデム６は、設置環境における電源事情に応じて動作を切り替えることで消費電力を抑えられる。
【００５６】
第１重畳部５０８および第１重畳部６０８は、高電圧の電力を信号に重畳する。これにより、低い電圧で給電する場合に比べ、通信経路における電圧降下の影響および電力損失が抑えられる。
【００５７】
また、低圧電源端子５０２および高圧電源端子５０３のいずれもが外部電源に接続されていない場合に通信経路から受け渡される信号に電力が重畳されているときに、電源部５０６は、当該重畳されている電力から信号処理部５０５の電源となる電力を生成する。低圧電源端子６０２および高圧電源端子６０３のいずれもが外部電源に接続されていない場合に通信経路から受け渡される信号に電力が重畳されているときに、電源部６０６は、当該重畳されている電力から信号処理部６０５の電源となる電力を生成する。
【００５８】
親機モデム５について高電圧の外部電源が利用でき、子機モデム６について外部電源が利用できない場合に、親機モデム５および子機モデム６の双方は高電圧の電力によって動作する。親機モデム５は、高電圧の外部電源によって動作する。親機モデム５の第１重畳部５０８は、高電圧の電力を信号に重畳して通信経路に受け渡す。子機モデム６は、通信経路から受け渡された信号に重畳されている高電圧の電力によって動作する。
【００５９】
子機モデム６について高電圧の外部電源が利用でき、親機モデム５について外部電源が利用できない場合に、親機モデム５および子機モデム６の双方は高電圧の電力によって動作する。子機モデム６は、高電圧の外部電源によって動作する。子機モデム６の第１重畳部６０８は、高電圧の電力を信号に重畳して通信経路に受け渡す。親機モデム５は、通信経路から受け渡された信号に重畳されている高電圧の電力によって動作する。
【００６０】
親機モデム５または子機モデム６のいずれか一方について外部電源が利用できない場合に、他方からケーブル４を通じて高電圧の電力を供給できる。すなわち、親機モデム５および子機モデム６の両方に外部電源を用意する必要がない。この親機モデム５と子機モデム６を、例えばエレベーターの監視システムに適用する場合には、親機モデム５と子機モデム６の両方にそれぞれ外部電源を接続することが困難な場合がある。このような場合に、外部電源が接続された他方からケーブル４を通じて高電圧の電力を一方に供給できるため、一方の側には外部電源を接続しなくてもよい。これにより、エレベーターの監視システムにおける親機モデム５と子機モデム６の設置位置の自由度が広がる。
【００６１】
カメラ２は、ネットワークカメラであり、デジタル信号によって映像信号を通信する。ネットワークカメラからの信号は、例えばツイストペアケーブルによって通信される。一方で、ツイストペアケーブルは、通信できる長さが制限される。ここで、通信システム１は、カメラ２からの信号をモデムによって変調および復調することで、ケーブル４によって通信する。これにより、通信システム１は、例えば同軸ケーブルなどのケーブル４によって、映像信号を劣化させずに長い距離を通信できる。
【００６２】
また、子機モデム６は、第２重畳部６０９を備える。外部電源１３に接続される低圧電源端子６０２から信号処理部６０５に電力が入力されるときに、第２重畳部６０９は、信号処理部６０５がカメラ２に受け渡す信号に電力を重畳しない。外部電源１３に接続される高圧電源端子６０３から電源部６０６を通じて信号処理部６０５に電力が入力されるときに、第２重畳部６０９は、信号処理部６０５がカメラ２に受け渡す信号に電力を重畳する。ここで、第２重畳部６０９は、高圧電源端子６０３から入力される電力を重畳する。
【００６３】
これにより、端末機器であるカメラ２に外部電源を用意する必要がない。
【００６４】
また、低圧電源端子６０２および高圧電源端子６０３のいずれもが外部電源に接続されていない場合に通信経路から受け渡される信号に電力が重畳されているときに、第２重畳部６０９は、信号処理部６０５がカメラ２に受け渡す信号に電力を重畳する。このとき、第２重畳部６０９は、当該重畳されている電力を利用する。
【００６５】
第２重畳部６０９は、親機モデム５から供給される高電圧の電力を利用して、端末機器に電力を供給する。このとき、第２重畳部６０９は、供給される電力の電圧を変換しないで利用する。これにより、第２重畳部６０９で利用する電力の電圧の変換による損失は発生しない。
【００６６】
なお、親機モデム５は、監視端末３に供給する電力を信号に重畳する第２重畳部を備えてもよい。このとき、監視端末３は、第２重畳部によって重畳される電力によって動作してもよい。
【００６７】
端末機器は、例えばエレベーターのかごに設けられるディスプレイであってもよい。このとき、ディスプレイは子機モデム６の接続端子６０１に接続される。ディスプレイは、親機モデム５に接続される端末機器から受け渡される信号が表す内容を表示する。
【００６８】
実施の形態２．
実施の形態２では、実施の形態１で開示された例と相違する点について詳しく説明する。実施の形態２で説明しない特徴については、実施の形態１で開示された例のいずれの特徴が採用されてもよい。
【００６９】
図２および図３は、実施の形態２に係るモデムを備える通信システムの構成を示す回路図である。
図２において、親機モデム５と子機モデム６とが接続されている状態が示される。
【００７０】
通信システム１は、ケーブル１７を備える。ケーブル１７は、親機モデム５と子機モデム６との間の信号が通信される通信経路を形成する。ケーブル１７は、親機モデム５と子機モデム６とを接続するケーブルである。ケーブル１７は、例えばツイストペアケーブルである。
【００７１】
親機モデム５は、増設の通信端子５１０を備える。増設の通信端子５１０は、通信端子５０４から分岐する通信端子である。増設の通信端子５１０は、通信経路に信号を受け渡す端子である。増設の通信端子５１０は、通信端子５０４と同じ信号が入出力される。増設の通信端子５１０は、ケーブル１７に接続される。
【００７２】
子機モデム６は、増設の通信端子６１０を備える。増設の通信端子６１０は、通信端子６０４から分岐する通信端子である。増設の通信端子６１０は、通信経路に信号を受け渡す端子である。増設の通信端子６１０は、通信端子６０４と同じ信号が入出力される。増設の通信端子６１０は、ケーブル１７に接続される。
【００７３】
図３において、親機モデム５および子機モデム６の各々に２つの増設機器１８が接続されている状態が示される。
【００７４】
２つの増設機器１８の一方は、ケーブル１９を通じて通信端子５０４に接続される。２つの増設機器１８の他方は、ケーブル１９を通じて通信端子６０４に接続される。ケーブル１９は、例えば同軸ケーブル、または、ツイストペアケーブルである。
【００７５】
増設機器１８は、例えば計測器である。計測器は、信号の特性を確認する機器である。信号の特性は、例えば、波形品質である。
【００７６】
増設機器１８は、例えば端末機器である。
【００７７】
増設機器１８は、例えば増設のモデムである。増設のモデムは、接続される端末機器との間で信号を処理して受け渡す。
【００７８】
以上に説明したように、実施の形態２に係る親機モデム５は、通信経路に信号を受け渡す複数の通信端子を備える。
【００７９】
通信端子５０４と通信端子５１０とにおいて、通信システム１のトポロジーを柔軟に構成できる。
【００８０】
また、通信端子５０４は、同軸ケーブルが接続できるように構成される。通信端子５１０は、ツイストペアケーブルが接続できるように構成される。すなわち、複数の通信端子のいずれかに異なる種類のケーブルが接続できる。これにより、設置環境に応じて通信システム１を柔軟に構築できる。
【００８１】
また、通信端子５０４または通信端子５１０は、信号の特性を確認する計測器が接続可能である。
【００８２】
すでに構築してあるネットワーク構成を変えることなく、計測器を接続することができる。これにより、モデムが通信する信号の特性を容易に確認できる。また、計測器によって信号の特性を確認するために、分配器を取り付ける必要がない。
【００８３】
また、通信端子５０４または通信端子５１０は、端末機器または端末機器との間で信号を処理して受け渡すモデムの少なくともいずれかが接続可能である。
【００８４】
信号処理部５０５および信号処理部６０５が、複数台の機器と通信可能な通信モードで動作している場合に、複数の通信端子の各々を通じて複数台のモデムまたは端末機器と通信できる。これにより、複数台のカメラと、モデムとを備える通信システムを容易に構築できる。
【００８５】
なお、親機モデム５および子機モデム６は、通信端子を３つ以上備えてもよい。複数の通信端子の一部または全部は、同じ種類のケーブルが接続される端子であってもよい。親機モデム５または子機モデム６の各々は、複数の増設機器１８が接続されてもよい。
【産業上の利用可能性】
【００８６】
本発明に係るモデムは、エレベーターの監視システムにおける通信システムに適用できる。
【符号の説明】
【００８７】
１  通信システム、  ２  カメラ、  ３  監視端末、  ４  ケーブル、  ５  親機モデム、  ６  子機モデム、  ７  ケーブル、  ８  外部電源、  ９  電源コード、  １０  外部電源、  １１  電源コード、  １２  ケーブル、  １３  外部電源、  １４  電源コード、  １５  外部電源、  １６  電源コード、  １７  ケーブル、  １８  増設機器、  １９  ケーブル、  ５０１  接続端子、  ５０２  低圧電源端子、  ５０３  高圧電源端子、  ５０４  通信端子、  ５０５  信号処理部、  ５０６  電源部、  ５０７  切替部、  ５０８  第１重畳部、  ５１０  通信端子、  ６０１  接続端子、  ６０２  低圧電源端子、  ６０３  高圧電源端子、  ６０４  通信端子、  ６０５  信号処理部、  ６０６  電源部、  ６０７  切替部、  ６０８  第１重畳部、  ６０９  第２重畳部、  ６１０  通信端子
【図１】
0006860119.tif 000002
【図２】
0006860119.tif 000003
【図３】
0006860119.tif 000004